(57)【要約】【課題】マルチアングルを有する映像ソースに対してアングル切替を自動で行う際に、視聴者の視聴への集中を妨げずにアングル切替を自動で行う。【解決手段】マルチアングルを有する映像ソース２０１に基づいて映像を再生する映像再生装置１００は、位置変化検出手段１０４により視聴者の視聴位置の変化及び変化後の視聴者の位置を検出し、再生する映像のアングルを、前記変化後のユーザの位置に対応したアングルの映像に切り替える。【選択図】図１
2012039220.tif 000002
【特許請求の範囲】
【請求項１】
マルチアングルを有する映像ソースに基づいて映像を再生する映像再生装置であって、
視聴者の視聴位置の変化及び変化後の視聴者の位置を検出し、
再生する映像のアングルを、前記変化後のユーザの位置に対応したアングルの映像に切り替えることを特徴とする、映像再生装置。
【請求項２】
マルチアングルを有する映像ソースに基づいて映像を再生する映像再生制御手段と、
視聴者の視聴位置の変化及び変化後の視聴者の位置を検出する位置変化検出手段と、
前記映像ソースに含まれる複数のアングルの映像ストリームと該映像ストリームがどのようなアングルから撮影した映像であるのかという情報とが紐付けられた管理情報に基づいて、検出した前記変化後の視聴者の位置に対応したアングルから撮影した映像と紐付けられた映像ストリームを、再生中の映像ストリームに替えて前記映像再生制御手段に再生させるアングル制御手段と、
を有することを特徴とする、映像再生装置。
【請求項３】
前記視聴位置の変化が前記映像再生制御手段により再生された映像の表示画面に対する相対位置であることを特徴とする、請求項２記載の映像再生装置。
【請求項４】
前記位置変化検出手段は、前記視聴位置の変化が規定時間内になされた許容できる変化量の変化である場合に、前記視聴位置の変化を検出することを特徴とする、請求項２又は３記載の映像再生装置。
【請求項５】
映像再生装置の制御方法であって、
視聴者の視聴位置の変化及び変化後の視聴者の位置を検出し、
前記映像ソースに含まれる複数のアングルの映像ストリームと該映像ストリームがどのようなアングルから撮影した映像であるのかという情報とが紐付けられた管理情報に基づいて、検出した前記変化後の視聴者の位置に対応したアングルから撮影した映像と紐付けられた映像ストリームを、再生中の映像ストリームから切り替えて、
切替後の映像ストリームの映像を再生することを特徴とする、映像再生装置の制御方法。
【発明の詳細な説明】
【技術分野】
【０００１】
本発明は、映像再生装置及びその制御方法に関し、特に、マルチアングル機能対応の映像再生装置の操作性の向上に関する。
【背景技術】
【０００２】
ＤＶＤ−Ｖｉｄｅｏ規格等においては、１つの場面に対して複数の映像を収録し、再生時にいずれかの映像を選んで再生するマルチアングルと呼ばれる技術が知られている。従来、マルチアングルの選択は、民生用のＤＶＤ再生機であればリモートコントローラ（以下、「リモコン」と略す）を用いて行うのが一般的であった。
【０００３】
特許文献１には、マルチアングルと同等であると考えられる「マルチビュー」を視聴者による手動ではなく自動的に切り替えて出力する技術が開示されている。しかしながら、映像ストリームの配信側でビュー切替の設定をしており、配信側においてビューの切替に手動操作が存在している。また、受信側（ユーザ側）で好きなビューを選べる自由度は低い可能性がある。
【先行技術文献】
【特許文献】
【０００４】
【特許文献１】特開２００２−３１４９６０号公報
【発明の概要】
【発明が解決しようとする課題】
【０００５】
従来のリモコンを使用するアングルの変更は、視聴者が見ていたいと考えられる再生機の画面から手元のリモコンに目を移す必要があり、視聴に集中することを妨げるという問題点がある。
【０００６】
この問題点は、ハードウェアのリモコンを使わない方式（例えば、パーソナルコンピュータの視聴ソフトウェアが擬似的なコントローラを画面上に表示するソフトウェア的な方式等）においても存在すると考えられる。コンテンツから画面上に表示されているコントローラに目を移す必要があったり、アングル変更のためのメニューが映像に被さったりするからである。
【０００７】
本発明は、上記実情に鑑みて、マルチアングルを有する映像ソースに対してアングル切替を自動で行う際に、視聴者の視聴への集中を妨げずにアングル切替を自動で行うことが可能な映像再生装置及びその制御方法を提供することを目的とする。
【課題を解決するための手段】
【０００８】
上記目的を達成するために、本発明は、第１の態様として、マルチアングルを有する映像ソースに基づいて映像を再生する映像再生制御手段と、視聴者の視聴位置の変化及び変化後の視聴者の位置を検出する位置変化検出手段と、前記映像ソースに含まれる複数のアングルの映像ストリームと該映像ストリームがどのようなアングルから撮影した映像であるのかという情報とが紐付けられた管理情報に基づいて、検出した前記変化後の視聴者の位置に対応したアングルから撮影した映像と紐付けられた映像ストリームを、再生中の映像ストリームに替えて前記映像再生制御手段に再生させるアングル制御手段と、を有することを特徴とする、映像再生装置を提供するものである。
【０００９】
また、上記目的を達成するために、本発明は、第２の態様として、映像再生装置の制御方法であって、視聴者の視聴位置の変化及び変化後の視聴者の位置を検出し、前記映像ソースに含まれる複数のアングルの映像ストリームと該映像ストリームがどのようなアングルから撮影した映像であるのかという情報とが紐付けられた管理情報に基づいて、検出した前記変化後の視聴者の位置に対応したアングルから撮影した映像と紐付けられた映像ストリームを、再生中の映像ストリームから切り替えて、切替後の映像ストリームの映像を再生することを特徴とする、映像再生装置の制御方法を提供するものである。
【発明の効果】
【００１０】
本発明によれば、マルチアングルを有する映像ソースに対してアングル切替を自動で行う際に、視聴者の視聴への集中を妨げずにアングル切替を自動で行うことが可能となる。
【図面の簡単な説明】
【００１１】
【図１】第１の実施形態の機能構成を示すブロック図である。
【図２】図１の管理情報の例を示す図である。
【図３】第１の実施形態における処理手順を示すフローチャートである。
【図４】第２の実施形態の機能構成を示すブロック図である。
【発明を実施するための形態】
【００１２】
以下、本発明を実施するための形態について図面を参照して説明する。
【００１３】
（第１の実施形態）
図１に、本実施形態の機能構成を示す。
本実施形態に係る映像再生装置１００は、映像再生制御手段１０１と、アングル制御手段１０２と、表示手段１０３と、位置変化検出手段１０４とを有する。
【００１４】
映像再生装置１００には、マルチアングルを有する映像ソース２０１（以下、「映像ソース２０１」と略す）が入力される。映像再生制御手段１０１が入力された映像ソース２０１をＤＥＭＵＸ処理やデコード処理等の公知の処理をして、映像を表示手段１０３に表示させる。なお、映像ソース２０１に含まれる音声ストリームも同様にデコード処理等の公知の処理をして図示しない音声出力手段に出力させる。
【００１５】
マルチアングルを有する映像ソース２０１は、マルチアングルに対応する規格の映像データである。映像ソース２０１を記憶するメディアは、Ｂｌｕ−ｒａｙ  Ｄｉｓｃ（登録商標）や、ＤＶＤなど、種々のものを利用できる。可搬性メディアを利用するほかに、映像ソース２０１を放送波によって伝送させ、映像再生装置１００に入力してもよい。
【００１６】
本実施形態においては、映像ソース２０１とともに管理情報２０２が映像再生装置１００に入力される。管理情報２０２は、映像ソース２０１が有する複数のアングルの映像ストリームと、各映像ストリームがどのようなアングルから撮影した映像であるのかという情報とを紐付けて管理する情報である。つまり、管理情報２０２は、映像ストリームとその映像ストリームのアングルとが関連づけられた情報である。本実施形態においては、管理情報２０２は映像ソース２０１に含まれているものとする。
【００１７】
図２に、管理情報２０２の例を示す。
図示のように、管理情報２０２は、各映像ストリーム（第１、第２・・・第ｎアングルの映像ストリーム）と、当該各映像ストリームがどのようなアングルから撮影した映像（正面からの映像、左からの映像、右からの映像、左上方からの映像など）であるのかという情報（つまり、アングル）とが関連づけられている。
【００１８】
あるアングルの映像ストリームと、その映像ストリームがどのようなアングルから撮影した映像であるのかという情報は、タイムラインによって変化してよい。図２に示すように、管理情報２０２は、「映像の開始から１０分後から２０分後までの間の第１アングルが右からの映像である」という情報を持つ。
【００１９】
図１に戻って映像再生装置１００の機能構成の説明を再開する。
映像再生制御手段１０１は、映像ソース２０１に基づいて映像の再生を開始すると、アングル制御手段１０２は、管理情報２０２に基づいて、再生中の映像がどのようなアングルから撮影した映像であるのかという情報を認識する。また、アングル制御手段１０２は、後述する位置変化検出手段１０４によって視聴者であるユーザの位置変化が検出されると、アングル切替処理をする。
【００２０】
アングル切替処理は、アングル制御手段１０２が映像再生制御手段１０１に、変化後のユーザの位置に対応したアングルから撮影した映像と紐付けられた映像ストリームを、現在再生中の映像ストリームに替えて再生させる処理である。
【００２１】
表示手段１０３は、映像再生制御手段１０１による制御に基づいて、映像再生制御手段１０１から伝送路を介して送出される映像データを表示する機能を備える。液晶テレビやプラズマテレビやプロジェクタなど種々のものが利用できる。
【００２２】
表示手段１０３は、表示画面１０３ａを有する。表示手段１０３がプロジェクタであれば投射面を表示画面１０３ａとする。
【００２３】
位置変化検出手段１０４は、ユーザの表示画面１０３ａに対する相対的な位置の変化を検出し、検出結果をアングル制御手段１０２に伝える機能を備える。位置変化検出の方法は、既知のいかなる手法を用いてもよい。例えば、位置変化検出手段１０４がカメラを具備するように構成して、カメラで取得した映像を解析して位置変化を検出する。なお、その際、ユーザ位置は２次元的な情報でもよいし、深度情報まで付加した３次元の情報として管理してもよい。
【００２４】
映像再生装置１００は、ハードウェアと、このハードウェアを利用して所定の情報処理を行うソフトウェアプログラムによって実現するが、このハードウェアについて説明する。ハードウェア構成例の一つは、テレビなどの表示装置とＤＶＤプレーヤーなどの再生機とウェブカメラ等のカメラを用いる構成である。この場合、テレビなどの表示装置は表示手段１０３として機能する。カメラの搭載位置は、再生機と表示装置のどちらに搭載してもよい。
【００２５】
次に、本実施形態の動作について説明する。
図３に、本実施形態における処理手順を示す。なお、図３に示す各処理の主体は、特に断りがない限りアングル制御手段１０２である。
【００２６】
映像再生制御手段１０１は、映像ソース２０１に基づいて映像の再生を開始すると（ステップＳ１０１）、アングル制御手段１０２は、管理情報２０２に基づいて、再生中の映像がどのようなアングルから撮影した映像であるのかという情報を認識する（ステップＳ１０２）。
【００２７】
位置変化検出手段１０４は、ユーザの視聴位置の変化があるか否かをモニタし（ステップＳ１０３）、変化がある場合、ユーザの位置変化を検出する（ステップＳ１０４）。
【００２８】
位置変化検出手段１０４は、位置変化の検出後、その位置変化が規定時間内になされた許容できる変化量の位置変化であるか否かを判定する（ステップＳ１０５）。規定時間内になされた許容できる変化量の位置変化でない場合はアングル切替処理をしない。この判定の技術的意義は、ユーザがアングルの切替をする意図ではなく、例えばトイレのために離席するといった動作をした場合の誤検知を防ぐことにある。変化量が大きすぎる場合は、視聴できない位置に移動したと考えられる。
【００２９】
規定時間内になされた許容できる変化量の位置変化である場合、位置変化検出手段１０４は、ユーザの視聴位置変化をアングル制御手段１０２に伝える（ステップＳ１０６）。この際、変化後の位置もアングル制御手段１０２に伝える。
【００３０】
アングル制御手段１０２は、伝えられた変化後の位置に対応したアングルから撮影した映像が、映像ソース２０１が有する複数の映像ストリームの中にあるか否かを判定する（ステップＳ１０７）。この判定には、図２に例示した管理情報を用いる。
【００３１】
伝えられた変化後の位置に対応したアングルから撮影した映像が、映像ソース２０１が有する複数の映像ストリームの中にある場合、アングル制御手段１０２は、変化後のユーザの位置に対応したアングルから撮影した映像と紐付けられた映像ストリームを、現在再生中の映像ストリームに替えて再生させる（ステップＳ１０８）。
【００３２】
一方で、ユーザの視聴位置変化がなかったり、変化があっても規定時間内の変化でなかったり変化量が許容できるものでなかったり、変化後のユーザの位置に対応したアングルから撮影した映像がなかったりする場合は、アングル制御手段１０２は、アングル切替処理をしない。映像再生制御手段１０１は、再生を継続する（ステップＳ１０９）。
【００３３】
本実施形態は、上述のような構成で上述のように動作するので、本実施形態によれば、視聴者であるユーザが、例えば左に自身の体を動かせば左からのアングルで撮影した映像に切り替わり、右に動けば右からのアングルで撮影した映像に切り替わる。つまり、視聴者による直感的な操作で自動的にアングルが切り替わる。また、見たいアングルの方に移動するという直感的な操作であるため、視聴者の視聴を妨げない。
【００３４】
（第２の実施形態）
上記第１の実施形態においては、管理情報２０２が映像ソース２０１に含まれ、映像ソース２０１とともに映像再生装置１００に入力される。これに対して本実施形態では、管理情報２０２があらかじめ映像ソース２０１に含まれておらず、映像再生装置１００が映像ソース２０１を解析して管理情報２０２を生成する。
【００３５】
図４に、本実施形態の機能構成を示す。図４においては図１と同等の機能を備えるブロックには同じ符号を付して説明を省略する。
映像再生装置１００は、図１の構成の他に、管理情報生成手段１０５を有する。映像再生制御手段１０１は、再生開始後、映像ソース２０１が有する複数のアングルの映像ストリームを管理情報生成手段１０５に入力する。
【００３６】
管理情報生成手段１０５は、入力された映像ストリームに基づいて各映像ストリームがどのアングルから撮影した映像かを判定し、判定結果を管理情報２０２として映像再生制御手段１０１に入力する。
【００３７】
本実施形態によっても、上記第１の実施形態と同等の効果が得られる。また、それに加えて、映像再生装置１００に入力される映像ソース２０１に管理情報、すなわち各アングルの映像が右や左などどのアングルからの映像であるのかという情報が含まれない場合でも、アングル切替が自動的に可能になるという効果がある。
【符号の説明】
【００３８】
１００    映像再生装置
１０１    映像再生制御手段
１０２    アングル制御手段
１０３    表示手段
１０４    位置変化検出手段
１０５    管理情報生成手段
２０１    マルチアングルを有する映像ソース
２０２    管理情報
【図１】
2012039220.tif 000003
【図２】
2012039220.tif 000004
【図３】
2012039220.tif 000005
【図４】
2012039220.tif 000006